(57)【要約】      （修正有）【課題】ＭＴＣ(機器間通信)環境においてＭＴＣ端末の移動性タイプ及びトラフィックパターンを考慮して端末特定アイドルモードタイマ及び位置更新タイプを提供することにより、ＭＴＣ端末の効率的な位置更新を行える方法及び装置を提供する。【解決手段】無線アクセスシステムにおいて端末がアイドルモードで位置更新を行うための方法は、Ｍ２Ｍ(マシンツーマシン)端末特定アイドルモードタイマを基地局から受信する段階と、前記受信したＭ２Ｍ端末特定アイドルモードタイマに基づいて位置更新を行う段階とを含み、前記Ｍ２Ｍ端末特定アイドルモードタイマは、前記端末がアイドルモードにある間の位置更新間隔の最大区間の長さを示す。【選択図】図３
2012124897.tif 000002
【特許請求の範囲】
【請求項１】
無線アクセスシステムにおいて端末がアイドルモードで位置更新を行うための方法において、
Ｍ２Ｍ（Ｍａｃｈｉｎｅ−Ｔｏ−Ｍａｃｈｉｎｅ）端末特定アイドルモードタイマを基地局から受信する段階と、
前記受信したＭ２Ｍ端末特定アイドルモードタイマに基づいて位置更新を行う段階とを含み、
前記Ｍ２Ｍ端末特定アイドルモードタイマは、
前記端末がアイドルモードにある間の位置更新間隔の最大区間の長さを示すことを特徴とする方法。
【請求項２】
前記位置更新を行う段階は、
前記Ｍ２Ｍ端末特定アイドルモードタイマが満了する前に周期的に位置更新を行うことを特徴とする請求項１に記載の方法。
【請求項３】
前記Ｍ２Ｍ端末特定アイドルモードタイマは、
ネットワーク（再）エントリ過程又はアイドルモード開始過程により受信されることを特徴とする請求項１に記載の方法。
【請求項４】
前記Ｍ２Ｍ端末特定アイドルモードタイマは、
端末基本能力応答（ＳＢＣ−ＲＳＰ）メッセージ、登録応答（ＲＥＧ−ＲＳＰ）メッセージ、登録解除命令（ＤＲＥＧ−ＣＭＤ）メッセージ、又は登録解除応答（ＤＲＥＧ−ＲＳＰ）メッセージにより受信されることを特徴とする請求項３に記載の方法。
【請求項５】
アイドルモードに移行する段階と、
前記アイドルモードに移行した後、前記Ｍ２Ｍ端末特定アイドルモードタイマを動作させる段階と
をさらに含むことを特徴とする請求項１に記載の方法。
【請求項６】
前記端末の移動性タイプを示す移動性能力情報及び前記端末のトラフィックパターンを示すトラフィックタイプ情報の少なくとも一方を含む第１メッセージを前記基地局に送信する段階をさらに含むことを特徴とする請求項１に記載の方法。
【請求項７】
前記Ｍ２Ｍ端末特定アイドルモードタイマは、
前記第１メッセージにより決定されることを特徴とする請求項６に記載の方法。
【請求項８】
前記端末の位置更新タイプを示す位置更新タイプ情報を含む第２メッセージを前記基地局から受信する段階をさらに含むことを特徴とする請求項６に記載の方法。
【請求項９】
前記端末の位置更新タイプは、
前記第１メッセージにより決定されることを特徴とする請求項８に記載の方法。
【請求項１０】
前記第１メッセージ及び前記第２メッセージは、
前記基地局とのネットワーク（再）エントリ過程又はアイドルモード開始過程により、前記基地局に送信されることを特徴とする請求項６又は８に記載の方法。
【請求項１１】
前記位置更新タイプは、
位置更新なし、タイマベースの位置更新、タイマ及びロケーションベースの位置更新、又はロケーションベースの位置更新のいずれか１つであることを特徴とする請求項８に記載の方法。
【請求項１２】
前記第２メッセージは、
前記位置更新タイプがロケーションベースの位置更新の場合、セルベースの位置更新を行うか、ページンググループベースの位置更新を行うかを示すインジケータをさらに含むことを特徴とする請求項８に記載の方法。
【請求項１３】
前記位置更新を行う段階は、
前記位置更新タイプ情報に基づいて位置更新を行うことを特徴とする請求項８に記載の方法。
【請求項１４】
前記Ｍ２Ｍ端末特定アイドルモードタイマは、
オン区間及びオフ区間を含む周期（サイクル）より大きく設定されることを特徴とする請求項１に記載の方法。
【請求項１５】
前記端末は、
Ｍ２Ｍ（Ｍａｃｈｉｎｅ−Ｔｏ−Ｍａｃｈｉｎｅ）端末又はＭＴＣ（Ｍａｃｈｉｎｅ  Ｔｙｐｅ  Ｃｏｍｍｕｎｉｃａｔｉｏｎ）端末であることを特徴とする請求項１に記載の方法。
【請求項１６】
前記移動性能力情報は、
移動性なし、スロー、ミディアム、又はファストのいずれか１つを示すことを特徴とする請求項６に記載の方法。
【請求項１７】
前記トラフィックタイプ情報は、
時間制御されるトラフィック（ｔｉｍｅ  ｃｏｎｔｒｏｌｌｅｄ  ｔｒａｆｆｉｃ）、時間に敏感でないトラフィック（ｔｉｍｅ  ｔｏｌｅｒａｎｔ  ｔｒａｆｆｉｃ）、又はまれなトラフィック（ｉｎ−ｆｒｅｑｕｅｎｔ  ｔｒａｆｆｉｃ）のいずれか１つを示すことを特徴とする請求項６に記載の方法。
【請求項１８】
無線アクセスシステムにおいてアイドルモードで位置更新を行うための端末において、
外部と無線信号を送受信するための無線通信部と、
前記無線通信部に接続される制御部とを含み、
前記制御部は、
Ｍ２Ｍ端末特定アイドルモードタイマを基地局から受信するように前記無線通信部を制御し、前記受信したＭ２Ｍ端末特定アイドルモードタイマに基づいて位置更新を行うように制御し、
前記Ｍ２Ｍ端末特定アイドルモードタイマは、
前記端末がアイドルモードにある間の位置更新間隔の最大区間の長さを示すことを特徴とする端末。
【請求項１９】
前記制御部は、
前記Ｍ２Ｍ端末特定アイドルモードタイマが満了する前に位置更新を行うように制御することを特徴とする請求項１８に記載の端末。
【請求項２０】
前記Ｍ２Ｍ端末特定アイドルモードタイマは、
ネットワーク（再）エントリ過程又はアイドルモード開始過程により受信されることを特徴とする請求項１８に記載の端末。
【請求項２１】
前記Ｍ２Ｍ端末特定アイドルモードタイマは、
端末基本能力応答（ＳＢＣ−ＲＳＰ）メッセージ、登録応答（ＲＥＧ−ＲＳＰ）メッセージ、登録解除命令（ＤＲＥＧ−ＣＭＤ）メッセージ、又は登録解除応答（ＤＲＥＧ−ＲＳＰ）メッセージにより受信されることを特徴とする請求項２０に記載の端末。
【請求項２２】
前記制御部は、
前記端末がアイドルモードに移行した後、前記Ｍ２Ｍ端末特定アイドルモードタイマを動作させるように制御することを特徴とする請求項１８に記載の端末。
【請求項２３】
前記制御部は、
前記端末の移動性タイプを示す移動性能力情報及び前記端末のトラフィックパターンを示すトラフィックタイプ情報の少なくとも一方を含む第１メッセージを前記基地局に送信するように前記無線通信部を制御することを特徴とする請求項１８に記載の端末。
【請求項２４】
前記制御部は、
前記端末の位置更新タイプを示す位置更新タイプ情報を含む第２メッセージを前記基地局から受信するように前記無線通信部を制御することを特徴とする請求項２３に記載の端末。
【請求項２５】
前記制御部は、
前記Ｍ２Ｍ端末特定アイドルモードタイマがオン区間及びオフ区間を含む周期（サイクル）より大きく設定されるように制御することを特徴とする請求項１８に記載の端末。
【請求項２６】
前記端末は、
Ｍ２Ｍ（Ｍａｃｈｉｎｅ−Ｔｏ−Ｍａｃｈｉｎｅ）端末又はＭＴＣ（Ｍａｃｈｉｎｅ  Ｔｙｐｅ  Ｃｏｍｍｕｎｉｃａｔｉｏｎ）端末であることを特徴とする請求項１８に記載の端末。
【発明の詳細な説明】
【技術分野】
【０００１】
本発明は、無線アクセスシステムに関し、特に、アイドルモードで位置更新を行うための方法及び装置に関する。
【背景技術】
【０００２】
機器間通信（マシンツーマシン（Ｍ２Ｍ）通信、マシン通信（ＭＴＣ））
以下、機器間通信（Ｍ２Ｍ通信、ＭＴＣ）について簡単に説明する。
機器間通信とは、文字通り、電子装置と電子装置間の通信を意味する。すなわち、事物間の通信を意味する。機器間通信とは、一般に、電子装置間の有線又は無線通信や、人が制御する装置と機械間の通信を意味するが、特に、電子装置と電子装置間、すなわち機器間の無線通信を指す意味で用いられる。また、セルラネットワークで使用されるＭ２Ｍ端末は、一般的な端末より性能や能力が劣る。
【０００３】
セル内には多くの端末が存在し、端末は端末のタイプ、クラス、サービスタイプなどによって区分される。
【０００４】
例えば、端末は、端末の動作タイプによって、大きくＨＴＣ（Ｈｕｍａｎ  Ｔｙｐｅ  Ｃｏｍｍｕｎｉｃａｔｉｏｎ）のための端末とＭＴＣ（Ｍａｃｈｉｎｅ  Ｔｙｐｅ  Ｃｏｍｍｕｎｉｃａｔｉｏｎ）のための端末に分けられる。ＭＴＣはＭ２Ｍ端末間の通信を含む。ここで、ＨＴＣとは、人により信号の伝送が決定されて信号を送受信することを意味し、ＭＴＣとは、人が介入するのではなく、各端末が独自にイベント発生により又は周期的に信号を伝送することを意味する。
【０００５】
また、機器間通信が考慮されると全体的な端末数は急激に増加することがある。Ｍ２Ｍ端末は、サポートするサービスによって次のような特性を有する。
１．セル内の多数の端末
２．少ないデータ量
３．低い伝送頻度（周期性を有することもある）
４．限られた数のデータ特性
５．時間遅延に敏感でない
６．移動性が低いか又はない
また、機器間通信は、保護接続及び監視、追跡及び発見、公共安全（緊急事態、災難）、支払い（自販機、チケット機器、パーキングメータ）、ヘルスケア、遠隔調整、スマートメータなどの様々な分野において用いられる。
【０００６】
アイドルモード
以下、ＨＴＣ環境におけるアイドルモードについて簡単に説明する。
【０００７】
アイドルモードは、端末が広範囲な地域にわたって複数の基地局がある無線リンク環境を徘徊しても、特定の基地局に登録することなく周期的にダウンリンクブロードキャストメッセージを受信できるようにするメカニズムである。
【０００８】
アイドルモードは、ハンドオーバー（ＨａｎｄＯｖｅｒ；  ＨＯ）だけでなく全ての正常動作を中止し、一定区間でのみブロードキャストメッセージであるページングメッセージを受信できるように、ダウンリンク同期化のみを行なった状態である。ページングメッセージは、端末にページング動作を指示するメッセージである。例えば、ページング動作には測距、ネットワーク再エントリなどがある。
【０００９】
図８は、アイドルモード端末の動作を示すフローチャートである。
【００１０】
アイドルモードは、端末により開始されることもあり、基地局により開始されることもある。つまり、端末は、登録解除要求（ＤＲＥＧ−ＲＥＱ）メッセージを基地局に送信し、これに対する応答として登録解除応答（ＤＲＥＧ−ＲＳＰ）メッセージを基地局から受信することにより、アイドルモードに移行することができる。また、基地局が端末に非要求登録解除応答（ＤＲＥＧ−ＲＳＰ）メッセージ又は登録解除命令（ＤＲＥＧ−ＣＭＤ）メッセージを送信することにより、アイドルモードに移行することができる。
【００１１】
図８に示すように、端末は、基地局から登録解除され、アイドルモードに移行する（Ｓ１１０）。前記基地局はページングコントローラでもよい。もし、ページングコントローラが別途のネットワークエンティティの場合、基地局は、バックボーンネットワークを介してページングコントローラと情報をやり取りする。アイドルモードが開始されると、ページングコントローラは、アイドルモードシステムタイマを動作させる。
【００１２】
アイドルモードシステムタイマは、ページングコントローラがアイドルモード保持情報を保存できる最大時間である。端末は、アイドルモードシステムタイマに対応するアイドルモードタイマを動作させる。
【００１３】
リッスン区間で、端末は、ＤＬ−ＭＡＰ／ＵＬ−ＭＡＰメッセージ、ＤＣＤ／ＵＣＤメッセージを受信する（Ｓ１２０）。端末は、ページングメッセージの復号化のために、ＤＬ−ＭＡＰメッセージ、ＤＣＤメッセージを復号化し、所望の基地局のダウンリンクに同期化しなければならない。ＤＣＤメッセージは、基地局の属するページンググループを識別するページンググループＩＤを含む。
【００１４】
リッスン区間で、端末は、ページングメッセージであるＰＡＧ−ＡＤＶ（ＢＳブロードキャストページング）メッセージを受信する（Ｓ１３０）。ここで、ＰＡＧ−ＡＤＶメッセージは、端末が行うべきページング動作を示す。
【００１５】
アイドルモード端末は、ページングコントローラに保存された端末の位置情報を更新するために、位置更新を行う。ここで、位置更新は、基地局に起因することもあり、端末に起因することもある。すなわち、アイドルモード端末は、様々な原因により位置更新を行う（Ｓ１４０）。
【００１６】
アイドルモード端末は、タイマベースの位置更新、ページンググループベースの位置更新、パワーダウン位置更新、ＭＢＳゾーン更新などの位置更新を行うことができる。
【００１７】
タイマベースの位置更新とは、アイドルモードタイマが満了する前にページングメッセージを受信してネットワーク再エントリを行わない場合に位置更新を行うことである。
【００１８】
ページンググループベースの位置更新とは、端末が他のページンググループに移動した場合に位置更新を行うことである。
【００１９】
パワーダウン位置更新とは、端末がパワーダウンする前に位置更新を行うことである。
【００２０】
ＭＢＳゾーン更新とは、端末が他のＭＢＳゾーンに移動した場合に位置更新を行うことである。
【００２１】
位置更新に成功すると、アイドルモードタイマ、アイドルモードシステムタイマは初期化（リセット）される。もし、アイドルモードシステムタイマが満了すると、ページングコントローラは、保存していたアイドルモード保持情報を削除し、該当端末に対するページング関連制御を中止する。アイドルモードタイマが満了すると、端末は、ページングコントローラがアイドルモード保持情報を削除したものとみなす。
【発明の概要】
【発明が解決しようとする課題】
【００２２】
ＨＴＣ環境において、端末は、アイドルモードタイマに基づいてタイマ値が満了する前に基地局からページングメッセージを受信し、その後基地局とネットワーク再エントリを行わない場合、位置更新を行う。また、ＨＴＣ環境においては、アイドルモードタイマの値をグローバル変数として定めて用いる。
【００２３】
しかし、ＭＴＣは、前述したようにＨＴＣとは通信特性が異なるため、アイドルモードの位置更新の場合、ＨＴＣとは異なるＭＴＣの位置更新過程が求められる。
【００２４】
そこで、本発明は、ＭＴＣ環境においてアイドルモードの位置更新を行うための方法及び装置を提供することを目的とする。
【課題を解決するための手段】
【００２５】
本発明は、無線アクセスシステムにおいて端末がアイドルモードで位置更新を行うための方法において、Ｍ２Ｍ端末特定アイドルモードタイマを基地局から受信する段階と、前記受信したＭ２Ｍ端末特定アイドルモードタイマに基づいて位置更新を行う段階とを含み、前記Ｍ２Ｍ端末特定アイドルモードタイマは、前記端末がアイドルモードにある間の位置更新間隔の最大区間の長さを示すことを特徴とする。
【００２６】
また、前記位置更新を行う段階は、前記Ｍ２Ｍ端末特定アイドルモードタイマが満了する前に周期的に位置更新を行うことを特徴とする。
【００２７】
また、前記Ｍ２Ｍ端末特定アイドルモードタイマは、ネットワーク（再）エントリ過程又はアイドルモード開始過程により受信されることを特徴とする。
【００２８】
また、前記Ｍ２Ｍ端末特定アイドルモードタイマは、端末基本能力応答（ＳＢＣ−ＲＳＰ）メッセージ、登録応答（ＲＥＧ−ＲＳＰ）メッセージ、登録解除命令（ＤＲＥＧ−ＣＭＤ）メッセージ、又は登録解除応答（ＤＲＥＧ−ＲＳＰ）メッセージにより受信されることを特徴とする。
【００２９】
また、本発明は、アイドルモードに移行する段階と、前記アイドルモードに移行した後、前記Ｍ２Ｍ端末特定アイドルモードタイマを動作させる段階とをさらに含むことを特徴とする。
【００３０】
また、本発明は、前記端末の移動性タイプを示す移動性能力情報及び前記端末のトラフィックパターンを示すトラフィックタイプ情報の少なくとも一方を含む第１メッセージを前記基地局に送信する段階をさらに含むことを特徴とする。
【００３１】
また、前記Ｍ２Ｍ端末特定アイドルモードタイマは、前記第１メッセージにより決定されることを特徴とする。
【００３２】
また、前記端末の位置更新タイプを示す位置更新タイプ情報を含む第２メッセージを前記基地局から受信する段階をさらに含むことを特徴とする。
【００３３】
また、前記端末の位置更新タイプは、前記第１メッセージにより決定されることを特徴とする。
【００３４】
また、前記第１メッセージ及び前記第２メッセージは、前記基地局とのネットワーク（再）エントリ過程又はアイドルモード開始過程により、前記基地局に送信されることを特徴とする。
【００３５】
また、前記位置更新タイプは、位置更新なし、タイマベースの位置更新、タイマ及びロケーションベースの位置更新、又はロケーションベースの位置更新のいずれか１つであることを特徴とする。
【００３６】
また、前記第２メッセージは、前記位置更新タイプがロケーションベースの位置更新の場合、セルベースの位置更新を行うか、ページンググループベースの位置更新を行うかを示すインジケータをさらに含むことを特徴とする。
【００３７】
また、前記位置更新を行う段階は、前記位置更新タイプ情報に基づいて位置更新を行うことを特徴とする。
【００３８】
また、前記Ｍ２Ｍ端末特定アイドルモードタイマは、オン区間及びオフ区間を含む周期（サイクル）より大きく設定されることを特徴とする。
【００３９】
また、前記端末は、Ｍ２Ｍ（マシンツーマシン）端末又はＭＴＣ端末であることを特徴とする。
【００４０】
また、前記移動性能力情報は、移動性なし、スロー、ミディアム、又はファストのいずれか１つを示すことを特徴とする。
【００４１】
また、前記トラフィックタイプ情報は、時間制御されるトラフィック（ｔｉｍｅ  ｃｏｎｔｒｏｌｌｅｄ  ｔｒａｆｆｉｃ）、時間に敏感でないトラフィック（ｔｉｍｅ  ｔｏｌｅｒａｎｔ  ｔｒａｆｆｉｃ）、又はまれなトラフィック（ｉｎ−ｆｒｅｑｕｅｎｔ  ｔｒａｆｆｉｃ）のいずれか１つを示すことを特徴とする。
【００４２】
そして、本発明は、無線アクセスシステムにおいて端末がアイドルモードで位置更新を行うための方法において、前記端末の移動性タイプを示す移動性能力情報及び前記端末のトラフィックパターンを示すトラフィックタイプ情報の少なくとも一方を含む第１メッセージを前記基地局に送信する段階と、前記基地局から前記端末の位置更新タイプを示す位置更新タイプ情報を含む第２メッセージを受信する段階と、前記位置更新タイプ情報に基づいて位置更新を行う段階とを含むことを特徴とする。
【００４３】
また、前記移動性能力情報は、移動性なし、スロー、ミディアム、又はファストのいずれか１つを示すことを特徴とする。
【００４４】
また、前記トラフィックタイプ情報は、時間制御されるトラフィック、時間に敏感でないトラフィック、又はまれなトラフィックのいずれか１つを示すことを特徴とする。
【００４５】
また、前記端末の位置更新タイプは、前記第１メッセージにより決定されることを特徴とする。
【００４６】
また、前記第１メッセージ及び前記第２メッセージは、前記基地局とのネットワーク（再）エントリ過程又はアイドルモード開始過程により、前記基地局に送信されることを特徴とする。
【００４７】
また、前記端末の位置更新を行う時間間隔を示す端末特定アイドルモードタイマを前記基地局から受信する段階をさらに含み、前記位置更新を行う段階は、前記端末特定アイドルモードタイマが満了する前に周期的に位置更新を行うことを特徴とする。
【００４８】
また、前記端末特定アイドルモードタイマは、ネットワーク（再）エントリ過程又はアイドルモード開始過程により受信されることを特徴とする。
【００４９】
また、前記端末特定アイドルモードタイマは、登録解除命令（ＤＲＥＧ−ＣＭＤ）メッセージ又は登録解除応答（ＤＲＥＧ−ＲＳＰ）メッセージにより受信されることを特徴とする。
【００５０】
また、前記位置更新タイプは、位置更新なし、タイマベースの位置更新、タイマ及びロケーションベースの位置更新、又はロケーションベースの位置更新のいずれか１つであることを特徴とする。
【００５１】
また、前記第２メッセージは、前記位置更新タイプがロケーションベースの位置更新の場合、セルベースの位置更新を行うか、ページンググループベースの位置更新を行うかを示すインジケータをさらに含むことを特徴とする。
【００５２】
また、前記端末特定アイドルモードタイマは、オン区間及びオフ区間を含む周期（サイクル）より大きく設定されることを特徴とする。
【００５３】
そして、本発明は、無線アクセスシステムにおいてアイドルモードで位置更新を行うための端末において、外部と無線信号を送受信するための無線通信部と、前記無線通信部に接続される制御部とを含み、前記制御部は、Ｍ２Ｍ端末特定アイドルモードタイマを基地局から受信するように前記無線通信部を制御し、前記受信したＭ２Ｍ端末特定アイドルモードタイマに基づいて位置更新を行うように制御し、前記Ｍ２Ｍ端末特定アイドルモードタイマは、前記端末がアイドルモードにある間の位置更新間隔の最大区間の長さを示すことを特徴とする。
【００５４】
また、前記制御部は、前記Ｍ２Ｍ端末特定アイドルモードタイマが満了する前に位置更新を行うように制御することを特徴とする。
【００５５】
また、前記Ｍ２Ｍ端末特定アイドルモードタイマは、ネットワーク（再）エントリ過程又はアイドルモード開始過程により受信されることを特徴とする。
【００５６】
また、前記Ｍ２Ｍ端末特定アイドルモードタイマは、端末基本能力応答（ＳＢＣ−ＲＳＰ）メッセージ、登録応答（ＲＥＧ−ＲＳＰ）メッセージ、登録解除命令（ＤＲＥＧ−ＣＭＤ）メッセージ、又は登録解除応答（ＤＲＥＧ−ＲＳＰ）メッセージにより受信されることを特徴とする。
【００５７】
また、前記制御部は、前記端末がアイドルモードに移行した後、前記Ｍ２Ｍ端末特定アイドルモードタイマを動作させるように制御することを特徴とする。
【００５８】
また、前記制御部は、前記端末の移動性タイプを示す移動性能力情報及び前記端末のトラフィックパターンを示すトラフィックタイプ情報の少なくとも一方を含む第１メッセージを前記基地局に送信するように前記無線通信部を制御することを特徴とする。
【００５９】
また、前記制御部は、前記端末の位置更新タイプを示す位置更新タイプ情報を含む第２メッセージを前記基地局から受信するように前記無線通信部を制御することを特徴とする。
【００６０】
また、前記制御部は、前記Ｍ２Ｍ端末特定アイドルモードタイマがオン区間及びオフ区間を含む周期（サイクル）より大きく設定されるように制御することを特徴とする。
【００６１】
また、前記端末は、Ｍ２Ｍ端末又はＭＴＣ端末であることを特徴とする。
【００６２】
例えば、本発明は以下の項目を提供する。
（項目１）
無線アクセスシステムにおいて端末がアイドルモードで位置更新を行うための方法において、
Ｍ２Ｍ（Ｍａｃｈｉｎｅ−Ｔｏ−Ｍａｃｈｉｎｅ）端末特定アイドルモードタイマを基地局から受信する段階と、
上記受信したＭ２Ｍ端末特定アイドルモードタイマに基づいて位置更新を行う段階とを含み、
上記Ｍ２Ｍ端末特定アイドルモードタイマは、
上記端末がアイドルモードにある間の位置更新間隔の最大区間の長さを示すことを特徴とする方法。
（項目２）
上記位置更新を行う段階は、
上記Ｍ２Ｍ端末特定アイドルモードタイマが満了する前に周期的に位置更新を行うことを特徴とする上記項目のいずれかに記載の方法。
（項目３）
上記Ｍ２Ｍ端末特定アイドルモードタイマは、
ネットワーク（再）エントリ過程又はアイドルモード開始過程により受信されることを特徴とする上記項目のいずれかに記載の方法。
（項目４）
上記Ｍ２Ｍ端末特定アイドルモードタイマは、
端末基本能力応答（ＳＢＣ−ＲＳＰ）メッセージ、登録応答（ＲＥＧ−ＲＳＰ）メッセージ、登録解除命令（ＤＲＥＧ−ＣＭＤ）メッセージ、又は登録解除応答（ＤＲＥＧ−ＲＳＰ）メッセージにより受信されることを特徴とする上記項目のいずれかに記載の方法。
（項目５）
アイドルモードに移行する段階と、
上記アイドルモードに移行した後、上記Ｍ２Ｍ端末特定アイドルモードタイマを動作させる段階と
をさらに含むことを特徴とする上記項目のいずれかに記載の方法。
（項目６）
上記端末の移動性タイプを示す移動性能力情報及び上記端末のトラフィックパターンを示すトラフィックタイプ情報の少なくとも一方を含む第１メッセージを上記基地局に送信する段階をさらに含むことを特徴とする上記項目のいずれかに記載の方法。
（項目７）
上記Ｍ２Ｍ端末特定アイドルモードタイマは、
上記第１メッセージにより決定されることを特徴とする上記項目のいずれかに記載の方法。
（項目８）
上記端末の位置更新タイプを示す位置更新タイプ情報を含む第２メッセージを上記基地局から受信する段階をさらに含むことを特徴とする上記項目のいずれかに記載の方法。
（項目９）
上記端末の位置更新タイプは、
上記第１メッセージにより決定されることを特徴とする上記項目のいずれかに記載の方法。
（項目１０）
上記第１メッセージ及び上記第２メッセージは、
上記基地局とのネットワーク（再）エントリ過程又はアイドルモード開始過程により、上記基地局に送信されることを特徴とする上記項目のいずれかに記載の方法。
（項目１１）
上記位置更新タイプは、
位置更新なし、タイマベースの位置更新、タイマ及びロケーションベースの位置更新、又はロケーションベースの位置更新のいずれか１つであることを特徴とする上記項目のいずれかに記載の方法。
（項目１２）
上記第２メッセージは、
上記位置更新タイプがロケーションベースの位置更新の場合、セルベースの位置更新を行うか、ページンググループベースの位置更新を行うかを示すインジケータをさらに含むことを特徴とする上記項目のいずれかに記載の方法。
（項目１３）
上記位置更新を行う段階は、
上記位置更新タイプ情報に基づいて位置更新を行うことを特徴とする上記項目のいずれかに記載の方法。
（項目１４）
上記Ｍ２Ｍ端末特定アイドルモードタイマは、
オン区間及びオフ区間を含む周期（サイクル）より大きく設定されることを特徴とする上記項目のいずれかに記載の方法。
（項目１５）
上記端末は、
Ｍ２Ｍ（Ｍａｃｈｉｎｅ−Ｔｏ−Ｍａｃｈｉｎｅ）端末又はＭＴＣ（Ｍａｃｈｉｎｅ  Ｔｙｐｅ  Ｃｏｍｍｕｎｉｃａｔｉｏｎ）端末であることを特徴とする上記項目のいずれかに記載の方法。
（項目１６）
上記移動性能力情報は、
移動性なし、スロー、ミディアム、又はファストのいずれか１つを示すことを特徴とする上記項目のいずれかに記載の方法。
（項目１７）
上記トラフィックタイプ情報は、
時間制御されるトラフィック（ｔｉｍｅ  ｃｏｎｔｒｏｌｌｅｄ  ｔｒａｆｆｉｃ）、時間に敏感でないトラフィック（ｔｉｍｅ  ｔｏｌｅｒａｎｔ  ｔｒａｆｆｉｃ）、又はまれなトラフィック（ｉｎ−ｆｒｅｑｕｅｎｔ  ｔｒａｆｆｉｃ）のいずれか１つを示すことを特徴とする上記項目のいずれかに記載の方法。
（項目１８）
無線アクセスシステムにおいてアイドルモードで位置更新を行うための端末において、
外部と無線信号を送受信するための無線通信部と、
上記無線通信部に接続される制御部とを含み、
上記制御部は、
Ｍ２Ｍ端末特定アイドルモードタイマを基地局から受信するように上記無線通信部を制御し、上記受信したＭ２Ｍ端末特定アイドルモードタイマに基づいて位置更新を行うように制御し、
上記Ｍ２Ｍ端末特定アイドルモードタイマは、
上記端末がアイドルモードにある間の位置更新間隔の最大区間の長さを示すことを特徴とする端末。
（項目１９）
上記制御部は、
上記Ｍ２Ｍ端末特定アイドルモードタイマが満了する前に位置更新を行うように制御することを特徴とする上記項目のいずれかに記載の端末。
（項目２０）
上記Ｍ２Ｍ端末特定アイドルモードタイマは、
ネットワーク（再）エントリ過程又はアイドルモード開始過程により受信されることを特徴とする上記項目のいずれかに記載の端末。
（項目２１）
上記Ｍ２Ｍ端末特定アイドルモードタイマは、
端末基本能力応答（ＳＢＣ−ＲＳＰ）メッセージ、登録応答（ＲＥＧ−ＲＳＰ）メッセージ、登録解除命令（ＤＲＥＧ−ＣＭＤ）メッセージ、又は登録解除応答（ＤＲＥＧ−ＲＳＰ）メッセージにより受信されることを特徴とする上記項目のいずれかに記載の端末。
（項目２２）
上記制御部は、
上記端末がアイドルモードに移行した後、上記Ｍ２Ｍ端末特定アイドルモードタイマを動作させるように制御することを特徴とする上記項目のいずれかに記載の端末。
（項目２３）
上記制御部は、
上記端末の移動性タイプを示す移動性能力情報及び上記端末のトラフィックパターンを示すトラフィックタイプ情報の少なくとも一方を含む第１メッセージを上記基地局に送信するように上記無線通信部を制御することを特徴とする上記項目のいずれかに記載の端末。
（項目２４）
上記制御部は、
上記端末の位置更新タイプを示す位置更新タイプ情報を含む第２メッセージを上記基地局から受信するように上記無線通信部を制御することを特徴とする上記項目のいずれかに記載の端末。
（項目２５）
上記制御部は、
上記Ｍ２Ｍ端末特定アイドルモードタイマがオン区間及びオフ区間を含む周期（サイクル）より大きく設定されるように制御することを特徴とする上記項目のいずれかに記載の端末。
（項目２６）
上記端末は、
Ｍ２Ｍ（Ｍａｃｈｉｎｅ−Ｔｏ−Ｍａｃｈｉｎｅ）端末又はＭＴＣ（Ｍａｃｈｉｎｅ  Ｔｙｐｅ  Ｃｏｍｍｕｎｉｃａｔｉｏｎ）端末であることを特徴とする上記項目のいずれかに記載の端末。
【発明の効果】
【００６３】
本発明は、ＭＴＣ環境においてＭＴＣ端末の移動性タイプ及びトラフィックパターンを考慮して端末特定アイドルモードタイマ及び位置更新タイプを提供することにより、ＭＴＣ端末の効率的な位置更新を行えるという効果がある。
【００６４】
これにより、ＭＴＣ端末の不要な位置更新過程を削減できるという効果がある。
【図面の簡単な説明】
【００６５】
【図１】本発明の一実施形態が適用される無線通信システムを示す概念図である。
【図２】本発明の一実施形態が適用される無線アクセスシステムにおける端末及び基地局の内部ブロック図である。
【図３】本発明の一実施形態によるアイドルモードの位置更新過程を示すフローチャートである。
【図４】本発明の一実施形態によるＭＴＣ端末特定アイドルモードタイマの周期を示す図である。
【図５】本発明の他の実施形態によるアイドルモードの位置更新過程を示すフローチャートである。
【図６Ａ】本発明の一実施形態によるＭＴＣ端末の移動性タイプ及びトラフィックパターンによって決定される位置更新タイプを示す図である。
【図６Ｂ】本発明の一実施形態によるＭＴＣ端末の移動性タイプ及びトラフィックパターンによって決定される位置更新タイプを示す図である。
【図７】本発明の一実施形態によるネットワークエントリ過程によりＭＴＣ端末のロケーションベースの位置更新タイプをネゴシエートし、アイドルモードでＭＴＣ端末の位置更新を行う過程を示す図である。
【図８】アイドルモード端末の動作を示すフローチャートである。
【発明を実施するための形態】
【００６６】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などの様々な無線通信システムに用いられる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００などの無線技術で実現される。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）などの無線技術で実現される。ＯＦＤＭＡは、ＩＥＥＥ８０２．１１（Ｗｉ−Ｆｉ）、ＩＥＥＥ８０２．１６（ＷｉＭＡＸ）、ＩＥＥＥ８０２−２０、Ｅ−ＵＴＲＡ（Ｅｖｏｌｖｅｄ  ＵＭＴＳ  Ｔｅｒｒｅｓｔｒｉａｌ  Ｒａｄｉｏ  Ａｃｃｅｓｓ）などの無線技術で実現される。ＩＥＥＥ８０２．１６ｍは、ＩＥＥＥ８０２．１６ｅから進化したものであり、ＩＥＥＥ８０２．１６ｅベースのシステムとの下位互換性（ｂａｃｋｗａｒｄ  ｃｏｍｐａｔｉｂｉｌｉｔｙ）を提供する。
【００６７】
また、８０２．１６ｐは、機器間通信（ＭＴＣ）をサポートするための通信規格を提供する。
【００６８】
ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ）は、Ｅ−ＵＴＲＡを使用するＥ−ＵＭＴＳ（Ｅｖｏｌｖｅｄ  ＵＭＴＳ）の一部であって、ダウンリンクでＯＦＤＭＡを採用し、アップリンクでＳＣ−ＦＤＭＡを採用する。ＬＴＥ−Ａ（Ａｄｖａｎｃｅｄ）は３ＧＰＰ  ＬＴＥから進化したものである。
【００６９】
本明細書で使用される技術用語は、単に特定の実施形態を説明するために使用されたものであり、本発明を限定するものではない。また、本明細書で使用される技術用語は、本明細書において特に断らない限り、本発明の属する技術の分野における通常の知識を有する者に一般的に理解される意味で解釈されるべきであり、非常に包括的な意味で解釈されたり、非常に狭い意味で解釈されたりしてはならない。さらに、本明細書で使用される技術用語が本発明の思想を正確に表現できない間違った技術用語である場合は、当業者が正しく理解できる技術用語で代替して理解すべきである。さらに、本発明で使用される一般的な用語は、辞書の定義に従って、又は前後の文脈によって解釈されなければならず、非常に狭い意味で解釈されてはならない。
【００７０】
そして、本明細書で使用される単数の表現は、特に断らない限り、複数の表現を含む。本出願において、「構成される」や「含む」などの用語は、明細書に記載された様々な構成要素又は段階の全てを必ず含むものと解釈されてはならず、そのうち、一部の構成要素又は段階を含まないこともあり、追加の構成要素又は段階をさらに含むこともあるものと解釈されるべきである。
【００７１】
また、本明細書で使用される第１、第２などのように序数を含む用語は様々な構成要素を説明するために使用されるが、前記構成要素は前記用語により限定されるものではない。前記用語は１つの構成要素を他の構成要素と区別する目的でのみ使用される。例えば、本発明の権利範囲から外れない限り、第１構成要素は第２構成要素と命名してもよく、同様に、第２構成要素は第１構成要素と命名してもよい。
【００７２】
ある構成要素が他の構成要素に「連結」又は「接続」されていると言及された場合は、前記他の構成要素に直接的に連結又は接続されていることもあり、中間にさらに他の構成要素が存在することもある。それに対して、ある構成要素が他の構成要素に「直接連結」又は「直接接続」されていると言及された場合は、中間にさらに他の構成要素が存在しないと理解すべきである。
【００７３】
以下、添付図面を参照して本発明の好ましい実施形態を詳細に説明するが、図面番号に関係なく同一又は類似の構成要素には同一の符号を付して重複する説明は省略する。また、本発明を説明するにあたって、関連する公知技術についての具体的な説明が本発明の要旨を不明にすると判断される場合は、その詳細な説明を省略する。なお、添付図面は本発明の思想を容易に理解できるようにするためのものにすぎず、添付図面により本発明の思想が制限されるように解釈されてはならないことに留意すべきである。本発明の思想は、添付図面に加えて、全ての変更、均等物や代替物にまで拡張されるものと解釈されるべきである。
【００７４】
図１は、本発明の一実施形態が適用される無線通信システムを示す概念図である。無線通信システムは、音声やパケットデータなどの様々な通信サービスを提供するために広く配置される。
【００７５】
図１に示すように、無線通信システムは、端末（Ｍｏｂｉｌｅ  Ｓｔａｔｉｏｎ；  ＭＳ）１０及び基地局（Ｂａｓｅ  Ｓｔａｔｉｏｎ；  ＢＳ）２０を含む。端末１０は、固定されているか、又は移動性を有し、ＵＥ（Ｕｓｅｒ  Ｅｑｕｉｐｍｅｎｔ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、無線機器（Ｗｉｒｅｌｅｓｓ  Ｄｅｖｉｃｅ）、ＡＭＳ（Ａｄｖａｎｃｅｄ  Ｍｏｂｉｌｅ  Ｓｔａｔｉｏｎ）などの他の用語で呼ばれることもある。また、端末１０は、ＭＴＣ端末又はＭ２Ｍ端末の概念を含む。
【００７６】
一般に、基地局２０とは、端末１０と通信を行う固定局（ｆｉｘｅｄ  ｓｔａｔｉｏｎ）をいい、ノードＢ（ＮｏｄｅＢ）、ＢＴＳ（Ｂａｓｅ  Ｔｒａｎｓｃｅｉｖｅｒ  Ｓｙｓｔｅｍ）、アクセスポイントなどの他の用語で呼ばれることもある。１つの基地局２０には１つ以上のセルが存在する。
【００７７】
無線通信システムは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）／ＯＦＤＭＡベースのシステムでもよい。
【００７８】
ＯＦＤＭは、複数の直交副搬送波を用いる。ＯＦＤＭは、ＩＦＦＴ（Ｉｎｖｅｒｓｅ  Ｆａｓｔ  Ｆｏｕｒｉｅｒ  Ｔｒａｎｓｆｏｒｍ）とＦＦＴ（Ｆａｓｔ  Ｆｏｕｒｉｅｒ  Ｔｒａｎｓｆｏｒｍ）の直交性を利用する。送信機では、ＩＦＦＴを行ってデータを送信する。受信機では、受信信号に対してＦＦＴを行って元のデータを復元する。送信機は、多重副搬送波を結合するためにＩＦＦＴを用い、受信機は、多重副搬送波を分離するために対応するＦＦＴを用いる。
【００７９】
図２は、本発明の一実施形態が適用される無線アクセスシステムにおける端末及び基地局の内部ブロック図である。
【００８０】
端末１０は、制御部１１、メモリ１２、及び無線通信（Ｒａｄｉｏ  Ｆｒｅｑｕｅｎｃｙ；  ＲＦ）部１３を含む。
【００８１】
さらに、端末１０は、ディスプレイ部、ユーザインタフェース部などを含む。
【００８２】
制御部１１は、提供された機能、過程、及び／又は方法を実現する。無線インタフェースプロトコル層は制御部１１により実現される。
【００８３】
メモリ１２は、制御部１１に接続され、無線通信を行うためのプロトコルやパラメータを保存する。すなわち、端末駆動システム、アプリケーション、一般的なファイルなどを保存する。
【００８４】
ＲＦ部１３は、制御部１１に接続され、無線信号を送信及び／又は受信する。
【００８５】
さらに、ディスプレイ部は、端末の様々な情報を表示し、ＬＣＤ（Ｌｉｑｕｉｄ  Ｃｒｙｓｔａｌ  Ｄｉｓｐｌａｙ）やＯＬＥＤ（Ｏｒｇａｎｉｃ  Ｌｉｇｈｔ  Ｅｍｉｔｔｉｎｇ  Ｄｉｏｄｅｓ）など、公知の要素を使用してもよい。ユーザインタフェース部は、キーパッドやタッチスクリーンなど、公知のユーザインタフェースの組み合わせからなるようにしてもよい。
【００８６】
基地局２０は、制御部２１、メモリ２２、及び無線通信（ＲＦ）部２３を含む。
【００８７】
制御部２１は、提供された機能、過程、及び／又は方法を実現する。無線インタフェースプロトコル層は制御部２１により実現される。
【００８８】
メモリ２２は、制御部２１に接続され、無線通信を行うためのプロトコルやパラメータを保存する。
【００８９】
ＲＦ部２３は、制御部２１に接続され、無線信号を送信及び／又は受信する。
【００９０】
制御部１１、２１は、ＡＳＩＣ（Ａｐｐｌｉｃａｔｉｏｎ−Ｓｐｅｃｉｆｉｃ  Ｉｎｔｅｇｒａｔｅｄ  Ｃｉｒｃｕｉｔ）、他のチップセット、論理回路、及び／又はデータ処理装置を含んでもよい。メモリ１２、２２は、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、フラッシュメモリ、メモリカード、記憶媒体、及び／又は他の記憶装置を含んでもよい。ＲＦ部１３、２３は、無線信号を処理するためのベースバンド回路を含んでもい。実施形態がソフトウェアで実現される場合、前述した技法は前述した機能を実行するモジュール（過程、機能など）で実現することができる。モジュールは、メモリ１２、２２に保存し、制御部１１、２１により実行することができる。
【００９１】
メモリ１２、２２は、制御部１１、２１の内部又は外部にあり、公知の様々な手段により制御部１１、２１に接続することができる。
【００９２】
以下、本発明による機器間通信（ＭＴＣ）環境においてアイドルモード端末の位置更新を行うための方法について具体的に説明する。
【００９３】
図３は、本発明の一実施形態によるアイドルモードの位置更新過程を示すフローチャートである。
【００９４】
まず、ＭＴＣ端末と基地局とは、ネットワーク（再）エントリ過程又はアイドルモード開始過程により、ＭＴＣ端末の移動性能力及びＭＴＣ端末の応用タイプ（アプリケーションタイプ）（又は、ＭＴＣ端末のトラフィックパターン）をネゴシエートする。
【００９５】
すなわち、ＭＴＣ端末は、ＭＴＣ端末の移動性タイプを示す移動性能力情報及びＭＴＣ端末のトラフィックパターンを示すトラフィックタイプ情報の少なくとも一方を含む第１メッセージを前記基地局に送信する（Ｓ４１０）。
【００９６】
ここで、前記第１メッセージは、ネットワーク（再）エントリ過程により送信される場合、端末基本能力要求／応答（ＳＢＣ−ＲＥＱ／ＲＳＰ）メッセージ、登録要求／応答（ＲＥＧ−ＲＥＱ／ＲＳＰ）メッセージでもよく、アイドルモード開始過程により送信される場合、登録解除要求（ＤＲＥＧ−ＲＥＱ）メッセージでもよい。
【００９７】
前記ＭＴＣ端末の移動性能力情報は、ＭＴＣ端末の移動性（又は移動速度）タイプを示す情報であって、移動性なし、スロー、ミディアム、又はファストのいずれか１つを示す。
【００９８】
ここで、スローは、例えばＭＴＣ端末の移動速度が０〜１０ｋｍ／ｈである。
【００９９】
また、ファストは、例えばＭＴＣ端末の移動速度が１２０ｋｍ／ｈ以上である。
【０１００】
下記表１はＭＴＣ端末の移動性能力情報の一例を示すものである。
【０１０１】
【表１】
2012124897.tif 000003
また、前記ＭＴＣ端末の応用タイプ情報は、ＭＴＣ端末のトラフィックパターンを示す情報であって、時間制御されるトラフィック、時間に敏感でないトラフィック、又はまれなトラフィックのいずれか１つを示す。
【０１０２】
下記表２はＭＴＣ端末の応用タイプ情報の一例を示すものである。
【０１０３】
【表２】
2012124897.tif 000004
その後、前記基地局は、前記ＭＴＣ端末から受信した移動性能力情報及びトラフィックタイプ情報に基づいて、ＭＴＣ端末特定アイドルモードタイマを前記ＭＴＣ端末に送信する（Ｓ４２０）。
【０１０４】
ここで、前記ＭＴＣ端末特定アイドルモードタイマとは、ＭＴＣ端末が位置更新を行う時間間隔を示す情報をいう。例えば、ＭＴＣ端末がアイドルモードにある間の位置更新間隔の最大区間の長さを示す。
【０１０５】
また、前記ＭＴＣ端末特定アイドルモードタイマは、ネットワーク（再）エントリ過程又はアイドルモード開始過程により、ＭＴＣ端末に明示的に送信される。
【０１０６】
すなわち、基地局がネットワーク（再）エントリ過程によりＭＴＣ端末特定アイドルモードタイマを送信する場合は、ＳＢＣ−ＲＳＰメッセージ又はＲＥＧ−ＲＳＰメッセージが用いられる。
【０１０７】
また、基地局がアイドルモード開始過程によりＭＴＣ端末特定アイドルモードタイマを送信する場合は、ＤＲＥＧ−ＲＳＰメッセージが用いられる。
【０１０８】
下記表３はＭＴＣ端末特定アイドルモードタイマが含まれるメッセージフォーマットの一例を示すものである。
【０１０９】
【表３】
2012124897.tif 000005
そして、基地局は、時間制御されるトラフィックの特性を有するＭＴＣ端末に対しては、ＭＴＣ端末特定アイドルモードタイマの値をオン区間及びオフ区間を含む周期（サイクル）より大きく設定し、ＭＴＣ端末に送信することができる。
【０１１０】
図４に示すように、ＭＴＣ端末は、オン区間５１０及びオフ区間５２０を含む周期（サイクル）より大きい値が割り当てられたＭＴＣ端末特定アイドルモードタイマ５３０を基地局から受信すると、タイマベースの位置更新を行わない。
【０１１１】
これは、オン区間５１０でＭＴＣ端末が基地局にＵＬトラフィックを送信することによって、ＭＴＣ端末のアイドルモードタイマが再設定（リセット）されるため、ＭＴＣ端末はタイマベースの位置更新を行わなくてもよいからである。
【０１１２】
つまり、ＭＴＣ環境において、時間制御されるトラフィックの特性を有するＭＴＣ端末のアイドルモードタイマの周期を前記のように設定することにより、タイマベースの位置更新を行わないようにして、ＭＴＣ端末の位置更新の負担を減らすことができる。
【０１１３】
その後、前記ＭＴＣ端末は、前記受信したＭＴＣ端末特定アイドルモードタイマに基づいて、アイドルモードで位置更新を行う（Ｓ４３０）。
【０１１４】
ここで、前記ＭＴＣ端末は、前記受信したＭＴＣ端末特定アイドルモードタイマが満了する前に位置更新を行う。
【０１１５】
図５は、本発明の他の実施形態によるアイドルモードの位置更新過程を示すフローチャートである。
【０１１６】
以下、ステップＳ６１０は図３のステップＳ４１０と同様であるので説明を省略し、異なる部分についてのみ具体的に説明する。
【０１１７】
ステップＳ６１０の後、基地局は、ＭＴＣ端末から受信した第１メッセージ、すなわちＭＴＣ端末の移動性能力情報及びＭＴＣ端末のトラフィックタイプ情報に基づいて、ネットワークでＭＴＣ端末の位置更新タイプを決定する（Ｓ６２０）。
【０１１８】
ここで、前記ＭＴＣ端末の位置更新タイプは、ネットワーク（再）エントリ過程又はアイドルモード開始過程により決定されてもよい。
【０１１９】
ここで、前記位置更新タイプは、位置更新なし、タイマベースの位置更新、タイマ及びロケーションベースの位置更新、又はロケーションベースの位置更新のいずれか１つでもよい。
【０１２０】
下記表４は位置更新タイプフォーマットの一例を示すものである。
【０１２１】
【表４】
2012124897.tif 000006
また、下記表５は位置更新タイプフォーマットの他の一例を示すものである。
【０１２２】
【表５】
2012124897.tif 000007
上記表５を参照すると、位置更新タイプが「０１」に設定された場合、ＭＴＣ端末は、タイマベースの位置更新、ロケーションベースの位置更新、パワーダウン位置更新など、システム又は端末がサポートする位置更新を周期的に又はイベント発生時に行うことができる。
【０１２３】
基地局は、ＭＴＣ端末から受信した移動性能力情報及びトラフィックタイプ情報に基づいて、次のようにアイドルモードでＭＴＣ端末の位置更新タイプを決定することができる。
【０１２４】
ＭＴＣ端末が、
１．移動性なしの場合
（１）時間制御されるトラフィックであれば、ＭＴＣ端末の位置更新タイプは位置更新なしに決定される。これは、ＭＴＣ端末の周期的なＵＬ報告により、ＭＴＣ端末は位置更新過程を必要としないからである。
（２）時間制御されるトラフィックでなければ、ＭＴＣ端末の位置更新タイプはタイマベースの位置更新にのみ決定される。これは、位置更新領域がないからである。
２．低い移動性の場合
（１）時間制御されるトラフィックであれば、ＭＴＣ端末の位置更新タイプは位置更新なしに決定される。これは、ＭＴＣ端末の周期的なＵＬ報告により、ＭＴＣ端末の位置更新過程を必要としないからである。
（２）時間制御されるトラフィックでなければ、ＭＴＣ端末の位置更新タイプはタイマベースの位置更新、ロケーションベースの位置更新、又はイベントトリガによる位置更新に決定される。
【０１２５】
ここで、ロケーションベースの位置更新の場合は、位置更新のユニットが１つのセルであり、イベントトリガによる位置更新の場合は、ページングメッセージにより基地局が開始する位置更新である。
【０１２６】
３．高い移動性の場合
（１）時間制御されるトラフィックであれば、ＭＴＣ端末の位置更新タイプは位置更新なしに決定される。これは、ＭＴＣ端末の周期的なＵＬ報告により、ＭＴＣ端末の位置更新過程を必要としないからである。
【０１２７】
（２）時間制御されるトラフィックでなければ、ＭＴＣ端末の位置更新タイプはタイマベースの位置更新、ロケーションベースの位置更新、又はイベントトリガによる位置更新に決定される。
【０１２８】
ここで、ロケーションベースの位置更新の場合は、位置更新のユニットが１つのページンググループであり、イベントトリガによる位置更新の場合は、ページングメッセージにより基地局が開始する位置更新である。
【０１２９】
その後、前記基地局は、前記のように決定された位置更新タイプ情報を含む第２メッセージを前記ＭＴＣ端末に送信する（Ｓ６３０）。
【０１３０】
ここで、前記第２メッセージは、ＭＴＣ端末の位置更新タイプがロケーションベースの位置更新に決定された場合、ＭＴＣ端末の位置更新がセルベースの位置更新であるか、ページンググループベースの位置更新であるかを示すインジケータをさらに含んでもよい。
【０１３１】
すなわち、前記基地局は、前記ＭＴＣ端末から移動性能力情報及びトラフィックタイプ情報を受信し、前記ＭＴＣ端末の位置更新タイプをロケーションベースの位置更新に決定した場合、前記第２メッセージにより、前記ＭＴＣ端末がセルベースの位置更新を行うか、ページンググループベースの位置更新を行うかを示すインジケータを前記ＭＴＣ端末に送信する。
【０１３２】
ここで、前記第２メッセージは、前記第１メッセージと同様に、ネットワーク（再）エントリ過程又はアイドルモード開始過程により送信することができる。
【０１３３】
すなわち、前記第２メッセージは、ネットワーク（再）エントリ過程により送信される場合、端末基本能力要求／応答（ＳＢＣ−ＲＥＱ／ＲＳＰ）メッセージ、登録要求／応答（ＲＥＧ−ＲＥＱ／ＲＳＰ）メッセージでもよく、アイドルモード開始過程により送信される場合、登録解除要求（ＤＲＥＧ−ＲＥＱ）メッセージでもよい。
【０１３４】
例えば、上記表４において、前記位置更新タイプが「０１」に設定された場合は、位置更新のためのタイマ値がＳＢＣ−ＲＳＰ、ＲＥＧ−ＲＳＰ、又はＤＲＥＧ−ＲＳＰメッセージに含まれる。
【０１３５】
また、上記表４において、前記位置更新タイプが「１０」又は「１１」に設定された場合は、位置更新のためのタイマ値がＳＢＣ−ＲＳＰ、ＲＥＧ−ＲＳＰ、又はＤＲＥＧ−ＲＳＰメッセージに含まれ、前記基地局は前記ＭＴＣ端末にロケーションベースの位置更新タイプ（すなわち、前記インジケータ）を共に送信する。
【０１３６】
例えば、前記インジケータ（ロケーションベースの位置更新タイプ）が「０」に設定された場合は、セルベースの位置更新を示し、「１」に設定された場合は、ページンググループベースの位置更新を示す。
【０１３７】
また、前記インジケータは、ＳＢＣ−ＲＳＰ、ＲＥＧ−ＲＳＰ、又はＤＲＥＧ−ＲＳＰメッセージに含まれ、前記ＭＴＣ端末に送信される。
【０１３８】
下記表６はロケーションベースの位置更新タイプフォーマットの一例を示すものである。
【０１３９】
【表６】
2012124897.tif 000008
上記表６を参照すると、ロケーションベースの位置更新タイプ（前記インジケータ）が「０」に設定された場合、ＭＴＣ端末は、他のセルに移動したときにアイドルモードの位置更新を行う。
【０１４０】
また、ロケーションベースの位置更新タイプが「１」に設定された場合、ＭＴＣ端末は、他のページンググループに移動したときにアイドルモードの位置更新を行う。
【０１４１】
その後、前記ＭＴＣ端末は、前記受信した位置更新タイプ情報に基づいて、ＭＴＣ端末特定アイドルモードタイマが満了する前に位置更新を行う（Ｓ６４０）。
【０１４２】
図６Ａ及び図６Ｂは、本発明の一実施形態によるＭＴＣ端末の移動性タイプ及びトラフィックパターンによって決定される位置更新タイプを示す図である。
【０１４３】
まず、図６Ａは、ＭＴＣ端末の移動性タイプが「移動性なし」であり、トラフィックパターンが「時間制御されるトラフィック」である場合、ＭＴＣ端末の位置更新タイプが位置更新なしに決定されることを示す。
【０１４４】
それに対して、図６Ｂは、ＭＴＣ端末の移動性タイプが「低い移動性」であり、トラフィックパターンが「時間に敏感でないトラフィック」である場合、ＭＴＣ端末の位置更新タイプがタイマ及びロケーションベースの位置更新に決定されることを示す。
【０１４５】
図７は、本発明の一実施形態によるネットワークエントリ過程によりＭＴＣ端末のロケーションベースの位置更新タイプをネゴシエートし、アイドルモードでＭＴＣ端末の位置更新を行う過程を示す図である。
【０１４６】
図７に示すように、ＭＴＣ端末は、ネットワークエントリ過程により、「移動性なし」を示す移動性能力情報及び「時間制御されるトラフィック」の特性を示すトラフィックタイプ情報を基地局に送信する（Ｓ８１０）。
【０１４７】
その後、前記基地局は、ステップＳ８１０で受信した情報に基づいて、タイマ及びロケーションベースの位置更新タイプ情報と、前記ロケーションベースの位置更新がセルベースの位置更新であることを示すロケーションベースの位置更新タイプ情報を前記ＭＴＣ端末に送信する（Ｓ８２０）。
【０１４８】
すなわち、基地局がＭＴＣ端末の位置更新タイプを上記表４における「１０」又は「１１」に決定した場合、ロケーションベースの位置更新タイプを示すインジケータ、すなわちロケーションベースの位置更新タイプ情報をＭＴＣ端末に送信する。
【０１４９】
上記表６から分かるように、ロケーションベースの位置更新タイプ情報が「０」に設定された場合は、セルベースの位置更新を示し、「１」に設定された場合は、ページンググループベースの位置更新を示す。
【０１５０】
また、前記位置更新タイプが「１０」の場合は、タイマ及びロケーションベースの位置更新を示し、前記位置更新タイプが「１１」の場合は、ロケーションベースの位置更新を示す。
【０１５１】
その後、前記ＭＴＣ端末は、前記基地局と登録解除要求及び応答（ＤＲＥＧ−ＲＥＱ／ＲＳＰ）メッセージを送受信することにより、アイドルモードに移行する（Ｓ８３０）。
【０１５２】
その後、前記ＭＴＣ端末は、アイドルモードタイマが満了した場合、タイマベースの位置更新を行い（Ｓ８４０）、現在のセルから他のセルへの移動を検出した場合、ロケーションベースの位置更新を行う（Ｓ８５０）。図７に示すように、前記ＭＴＣ端末は、位置更新を行うために、基地局と測距要求／応答（ＲＮＧ−ＲＥＱ／ＲＳＰ）メッセージを送受信する。
【０１５３】
以下、本発明のさらに他の実施形態によるＭＴＣ環境におけるアイドルモード端末のパワーダウン位置更新について説明する。
【０１５４】
１．報告と共にパワーダウン（ｐｏｗｅｒ  ｄｏｗｎ  ｗｉｔｈ  ｒｅｐｏｒｔｉｎｇ）
ＭＴＣ端末は、パワーダウンする前にページングコントローラにより位置更新を行う。
【０１５５】
ＭＴＣ端末がパワーダウン位置更新に成功した場合、ページングコントローラは、ＭＴＣ端末に関する全てのアイドルモード保持情報を削除する。
【０１５６】
２．報告なしにパワーダウン（ｐｏｗｅｒ  ｄｏｗｎ  ｗｉｔｈｏｕｔ  ｒｅｐｏｒｔｉｎｇ）
ページングコントローラがページング領域でページングを通知し、前記ページングに対する応答をページングリトライカウントが満了するまでＭＴＣ端末から受信できない場合、ページングコントローラは、ＭＴＣ端末に関する全てのアイドルモード保持情報を削除する。ページングコントローラは、「正常でないパワーダウン」をＭＴＣサーバに報告し、ＭＴＣサーバは、「正常でないパワーダウン」のイベントをＭＴＣオペレータに報告する。ここで、ＭＴＣオペレータは、パワーダウンが正常でないＭＴＣサーバをメンテナンス（リペア）することができる。
【０１５７】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【符号の説明】
【０１５８】
１０  端末
２０  基地局
１１、２１  制御部
１２、２２  メモリ
１３、２３  無線（ＲＦ）通信部
【図１】
2012124897.tif 000009
【図２】
2012124897.tif 000010
【図３】
2012124897.tif 000011
【図４】
2012124897.tif 000012
【図５】
2012124897.tif 000013
【図６Ａ】
2012124897.tif 000014
【図６Ｂ】
2012124897.tif 000015
【図７】
2012124897.tif 000016
【図８】
2012124897.tif 000017